(57)【要約】【課題】端子電極に応力が付与されてもドラムコア鍔部に応力が伝達されないように形成した端子金具形状として、ヒートサイクルに起因する配線基板と端子電極間の剥がれ、フェライト・ドラムコアのクラック発生等を防止する。【解決手段】両側に鍔部３を有するドラムコア１に一対の巻線１０Ａ，１０Ｂを施し、各巻線端末を各鍔部３の両端部に設けた端子電極にそれぞれ接続してなるコモンモードフィルタにおいて、前記端子電極が金属板をコ字状に折り曲げた端子金具２０であって、鍔部３の上下面に対向する内面に係合用凸部２１が形成されており、鍔部３の上下面には係合用凸部２１に対応した係合用凹部４ａが形成され、端子金具２０は係合用凸部２１が係合用凹部４ａに入った状態で前記鍔部３に装着されている【選択図】        図１
2005056934.tif 000002
【特許請求の範囲】
【請求項１】
両側に鍔部を有するドラムコアに一対の巻線を施し、各巻線端末を各鍔部の両端部に設けた端子電極にそれぞれ接続してなるコモンモードフィルタにおいて、
前記端子電極が金属板をコ字状に折り曲げた端子金具であって、前記鍔部の上下面に対向する内面に係合用凸部が形成されており、前記鍔部の上下面には前記係合用凸部に対応した係合用凹部が形成され、前記端子金具は前記係合用凸部が前記係合用凹部に入った状態で前記鍔部に装着されていることを特徴とするコモンモードフィルタ。
【請求項２】
前記鍔部の端子金具装着面は高さと厚みの一方又は両方が小さく形成された段差面となっていて、該段差面に前記端子金具が位置決め状態で装着されている請求項１記載のコモンモードフィルタ。
【請求項３】
前記巻線端末を固相拡散接合又は溶接で前記端子金具に接合してなる請求項１又は２記載のコモンモードフィルタ。
【請求項４】
上面が平坦で、下面の前記端子金具に対向する四隅に凹部を有する板状コアが、前記ドラムコア上にガラス転移点が１５０℃以上の耐熱性を有するエポキシ系樹脂にて固着されている請求項１，２又は３記載のコモンモードフィルタ。
【請求項５】
前記ドラムコアの上面及び両側面を囲む断面コ字状コアが前記ドラムコアの外側にガラス転移点が１５０℃以上の耐熱性を有するエポキシ系樹脂にて固着されている請求項１，２又は３記載のコモンモードフィルタ。
【請求項６】
前記端子金具に巻線端末の仮固定用の係止部を形成した請求項１，２，３，４又は５記載のコモンモードフィルタ。
【請求項７】
両側に鍔部を有するドラムコアに一対の巻線を施す巻線工程と、
端子電極として金属板をコ字状に折り曲げ、かつ前記鍔部の上下面に対向する内面に係合用凸部を形成した端子金具を用い、前記端子金具側の前記係合用凸部が前記鍔部側に形成された係合用凹部に入った状態にして、前記端子金具を前記鍔部に装着する端子装着工程と、
前記巻線工程と前記端子装着工程の後で、各巻線端末を固相拡散接合又は溶接で前記端子金具に接続する継線工程とを備えたことを特徴とするコモンモードフィルタの製造方法。
【請求項８】
前記端子金具に仮固定用の係止部を形成しておき、前記巻線端末を前記係止部にて仮固定後に前記継線工程を行う請求項７記載のコモンモードフィルタの製造方法。
【発明の詳細な説明】
【０００１】
【発明の属する技術分野】
本発明は、信号線路等のコモンモードノイズを抑圧するためのコモンモードフィルタ及びその製造方法に係り、とくに自動車等の使用温度範囲が広く、かつ常時エンジン等からの振動・路面走行中の衝撃が付与される機器に搭載した場合であっても十分な信頼性を確保できるコモンモードフィルタ及びその製造方法に関する。
【０００２】
【従来の技術】
従来、小型乃至超小型コモンモードフィルタとして、フェライト・ドラムコアの鍔部に予め銀の焼き付け、さらに銅やはんだのメッキにより端子電極を形成しておき、そのドラムコアに一対の巻線を施し、巻線端末を前記端子電極にはんだ付けでそれぞれ接続したものが知られている。
【０００３】
また、本出願人提案の先願である下記特許文献１では、端子電極が金属板を折り曲げた端子金具であって、ドラムコア鍔部の裏側に回り込む抜け止め用の折り返し部を有するものを用い、巻線端末を固相拡散接合又は溶接で前記端子金具に接合してなるコモンモードフィルタが出願されている（但し、未公開）。
【０００４】
【特許文献１】特願２００２−３３２７９号
【０００５】
【発明が解決しようとする課題】
上記従来のコモンモードフィルタでは、以下に述べる問題があった。
【０００６】
▲１▼  自動車に搭載する場合、使用温度範囲が広く、厳格なヒートサイクル試験が課せられており、フェライト・ドラムコアに焼き付け、メッキで形成した端子電極であると、配線基板にはんだ付けで搭載したときに、フェライトと基板材質との熱膨張係数の差に起因してヒートサイクル試験で不良が発生する（例えば、配線基板と端子電極間の剥がれ、フェライト・ドラムコアのクラック発生等）。
【０００７】
▲２▼  近年、環境に配慮して鉛フリーはんだ（無鉛はんだ）を用いてコモンモードフィルタを配線基板に装着する場合があるが、鉛フリーはんだは融点が高く、はんだ付け時にコモンモードフィルタの巻線端末と端子電極間のはんだ付け部分も溶融する不都合がある。
【０００８】
▲３▼  また、上記特許文献１の出願における構造においても、長時間の高温高湿試験やＰＣＴ（プレッシャー・クッカー・テスト：信頼性試験の一種）を行った際、試験後のインピーダンス変化が大きかった。
【０００９】
本発明は、上記の点に鑑み、端子電極に応力が付与されてもドラムコア鍔部に応力が伝達されないように形成した端子金具形状として、ヒートサイクルに起因する配線基板と端子電極間の剥がれ、フェライト・ドラムコアのクラック発生等を防止し、使用温度範囲が広く、高信頼性で車載用等に適したコモンモードフィルタ及びその製造方法を提供することを目的とする。
【００１０】
また、本発明は、巻線端末の端子電極への継線を、固相拡散接合又は溶接で前記端子金具に接合するようにして、鉛フリーはんだで実装する場合にも信頼性の低下が生じないコモンモードフィルタ及びその製造方法を提供することをもう一つの目的とする。
【００１１】
また、本発明は、ドラムコアに別の板状コア又は断面コ字状コアを接着する場合に、ガラス転移点が１５０℃以上の耐熱性を有するエポキシ系樹脂で接着することにより、広い使用温度範囲にわたりインピーダンス変化が少なく、信頼性の高いコモンモードフィルタ及びその製造方法を提供することをさらにもう一つの目的とする。
【００１２】
本発明のその他の目的や新規な特徴は後述の実施の形態において明らかにする。
【００１３】
【課題を解決するための手段】
上記目的を達成するために、本願請求項１の発明は、両側に鍔部を有するドラムコアに一対の巻線を施し、各巻線端末を各鍔部の両端部に設けた端子電極にそれぞれ接続してなるコモンモードフィルタにおいて、
前記端子電極が金属板をコ字状に折り曲げた端子金具であって、前記鍔部の上下面に対向する内面に係合用凸部が形成されており、前記鍔部の上下面には前記係合用凸部に対応した係合用凹部が形成され、前記端子金具は前記係合用凸部が前記係合用凹部に入った状態で前記鍔部に装着されていることを特徴としている。
【００１４】
本願請求項２の発明に係るコモンモードフィルタは、請求項１において、前記鍔部の端子金具装着面は高さと厚みの一方又は両方が小さく形成された段差面となっていて、該段差面に前記端子金具が位置決め状態で装着されていることを特徴としている。
【００１５】
本願請求項３の発明に係るコモンモードフィルタは、請求項１又は２において、前記巻線端末を固相拡散接合又は溶接で前記端子金具に接合してなることを特徴としている。
【００１６】
本願請求項４の発明に係るコモンモードフィルタは、請求項１，２又は３において、上面が平坦で、下面の前記端子金具に対向する四隅に凹部を有する板状コアが、前記ドラムコア上にガラス転移点が１５０℃以上の耐熱性を有するエポキシ系樹脂にて固着されていることを特徴としている。
【００１７】
本願請求項５の発明に係るコモンモードフィルタは、請求項１，２又は３において、前記ドラムコアの上面及び両側面を囲む断面コ字状コアが前記ドラムコアの外側にガラス転移点が１５０℃以上の耐熱性を有するエポキシ系樹脂にて固着されていることを特徴としている。
【００１８】
本願請求項６の発明に係るコモンモードフィルタは、請求項１，２，３，４又は５において、前記端子金具に巻線端末の仮固定用の係止部を形成したことを特徴としている。
【００１９】
本願請求項７の発明に係るコモンモードフィルタの製造方法は、両側に鍔部を有するドラムコアに一対の巻線を施す巻線工程と、
端子電極として金属板をコ字状に折り曲げ、かつ前記鍔部の上下面に対向する内面に係合用凸部を形成した端子金具を用い、前記端子金具側の前記係合用凸部が前記鍔部側に形成された係合用凹部に入った状態にして前記端子金具を前記鍔部に装着する端子装着工程と、
前記巻線工程と前記端子装着工程の後で、各巻線端末を固相拡散接合又は溶接で前記端子金具に接続する継線工程とを備えたことを特徴としている。
【００２０】
本願請求項８の発明に係るコモンモードフィルタの製造方法は、請求項７において、前記端子金具に仮固定用の係止部を形成しておき、前記巻線端末を前記係止部にて仮固定後に前記継線工程を行うことを特徴としている。
【００２１】
【発明の実施の形態】
以下、本発明に係るコモンモードフィルタ及びその製造方法の実施の形態を図面に従って説明する。
【００２２】
図１及び図２で本発明に係るコモンモードフィルタ及びその製造方法の第１の実施の形態を説明する。
【００２３】
図１（Ａ）のコア受入工程に示すように、フェライト・ドラムコア１は、巻芯部２の両側に鍔部３を有するものであって、鍔部３の外形は略方形であり、各鍔部３には端子金具装着面４が、当該鍔部３の高さと厚みの両方が小さく形成された段差面として形成されている（但し、高さ又は厚みの一方のみが小さく形成された段差面としてもよい）。端子金具装着面４は図１（Ｂ）に示す端子電極となる端子金具２０の位置決め（とくに横ずれ防止）のために設けられている。また、鍔部３の外周の二方（側方）が平面３ａで、上面は段差面である端子金具装着面４間が平坦凸部３ｂとなっており、さらに、端子金具装着面４の上面部分及び下面部分には、図２に示す端子電極となる端子金具２０の係合用凸部（部分球面状凸部）２１が入り込む係合用凹部（部分球面状凹部）４ａが形成されている。
【００２４】
また、後工程でドラムコア１の上側（鍔部３の平坦凸部３ｂ）に固着されるフェライトの板状コア５は上面６が平坦であり、端子金具２０に対向する下面の四隅に肉厚を薄くした凹部７を形成している。
【００２５】
図１（Ｂ）の端子装着工程及び図２に示すように、端子電極としての端子金具２０は、金属端子に応力が付与されてもドラムコア鍔部３に応力が伝達されないように形成した金具形状であり、前記二方が平面３ａで、上面に平坦凸部３ｂが設けられ、上下面部分に端子金具２０の係合用凸部２１が入り込む係合用凹部４ａを有する鍔部３に嵌合する形状となるように、銅、銅合金（例えば燐青銅等）の金属板をコ字形状に折り曲げただけのものであり、折り返し部分のない形状である。図２のように、前記係合用凸部２１は端子金具２０の鍔部３の上下面に対向する内面に形成されている。そして、前記鍔部３に段差面として形成されていて、上下面部分に端子金具側係合用凸部２１が入り込む係合用凹部４ａを形成した端子金具装着面４に端子金具２０は装着される。つまり、前記端子金具装着面４は各鍔部３の両端部に設けられているから、端子金具２０は各鍔部３の両端部に装着され、１個のドラムコア１に合計４個の端子金具２０が設けられる。
【００２６】
前記鍔部３の端子金具装着面４への端子金具２０の取り付けは、端子金具側の係合用凸部２１を鍔部３の端子金具装着面４側の係合用凹部４ａに入り込ませて、係合若しくは嵌合させることで行うことができる。あるいは、ガラス転移点が１５０℃以上の耐熱性を有するエポキシ系樹脂接着剤を併用して端子金具２０を鍔部３に固着するようにする。
【００２７】
なお、端子金具２０のコ字形状部分２５の上辺部には、巻線端末の仮固定用の係止部としての係止片２６が前記上辺部上に折り返されるように一体に折り曲げ形成されている。
【００２８】
図１（Ｃ）の巻線工程に示すように、耐熱ポリエステル線、ポリエステルイミド線、ポリアミドイミド線、ポリイミド線、ポリエステル／アミドイミド線、ポリエステルイミド／アミドイミド線等の絶縁被覆線を用いてドラムコア１の巻芯部２に一対の巻線１０Ａ，１０Ｂが巻回されている。例えば、図２のように巻芯部２の周囲に巻線１０Ａが下層、巻線１０Ｂが上層となるように同じ巻数で巻回する。なお、絶縁被覆のみでは巻線１０Ａ，１０Ｂの絶縁の信頼性が確保できない場合には、巻線１０Ａ，１０Ｂ間に層間絶縁シート等の部材を設ける。また、巻線１０Ａ，１０Ｂの端末は、端子金具２０の上辺部に設けた係止片２６をかしめることによって端子金具２０に仮固定される。
【００２９】
図１（Ｄ）の継線工程に示すように、図１（Ｂ）の端子装着工程及び図１（Ｃ）の巻線工程終了後、熱圧着、超音波溶着、あるいは両者の併用により、巻線１０Ａ，１０Ｂの各端末を端子金具２０上辺部Ｐにそれぞれ接合（固相拡散接合）する。あるいは、前記端末と端子金具２０との接続をレーザー溶接、アーク溶接で行っても良い。いずれにしてもはんだ付け以外の継線接合とする。
【００３０】
図１（Ｅ）のコア接着工程に示すように、継線工程終了後、フェライト・ドラムコア１の上側に、上面６が平坦なフェライトの板状コア５をガラス転移点が１５０℃以上の耐熱性を有するエポキシ系樹脂接着剤で接着する。この板状コア５を装着する理由は、ドラムコア１と板状コア５とで閉磁路を構成して、磁気特性の向上、ひいてはコモンモードノイズの抑制性能の向上を図ること、及び上面を平坦面にしてチップ部品装着機で吸着保持できるようにするためである。
【００３１】
以上の工程より、二方が平面３ａで、上面に平坦凸部３ｂを設け、端子金具装着面４の上下面部分に端子金具側の係合用凸部２１が入り込む係合用凹部４ａを形成してなる鍔部３を有するフェライト・ドラムコア１に、一対の巻線１０Ａ，１０Ｂを施し、各巻線端末をドラムコア１の各鍔部両端部に装着された端子金具２０にそれぞれ接合し、さらにフェライト・ドラムコア１上にフェライトの板状コア５を接着したコモンモードフィルタが得られる。
【００３２】
図３（Ａ）は前記板状コア５の接着にガラス転移点が１３０℃のエポキシ系樹脂接着剤を用いた場合のＰＣＴ前後のインピーダンスの変化率を示し、同図（Ｂ）はガラス転移点が１５０℃のエポキシ系樹脂接着剤を用いた場合のＰＣＴ前後のインピーダンスの変化率を示す。図３（Ｂ）のガラス転移点が１５０℃のエポキシ系樹脂接着剤を用いた場合の方が、インピーダンス変化率が大幅に低くなり（ガラス転移点が１３０℃で平均値−１８．９％、１５０℃で平均値−４．６５％）、信頼性が高くなることが判る。
【００３３】
この第１の実施の形態によれば、次の通りの効果を得ることができる。
【００３４】
（１）  自動車に搭載する場合、使用温度範囲が広く、厳格なヒートサイクル試験が課せられているが、フェライト・ドラムコア１の二方が平面３ａで、上面に平坦凸部３ｂを設け、端子金具装着面４の上下面部分に端子金具側の係合用凸部２１が入り込む係合用凹部４ａを形成してなる鍔部３に、端子金具２０に応力が付与されてもドラムコア鍔部に応力が伝達されないように形成した形状の端子金具２０を装着（嵌合又は接着併用）して端子電極としており、配線基板に鉛フリーはんだ付けで搭載したときに、フェライトと基板材質との間に熱膨張係数の差が存在しても端子金具２０の位置が僅かにずれることにより、熱膨張係数の差を吸収でき、使用時のヒートサイクルにも耐え得る。また、端子金具２０はコ字状で折り返し部分が無いため、より大きな熱ストレスにも耐えうる。このため、折り返し部分のある端子金具を端子電極とする場合に発生する不良、例えば、配線基板と端子電極間の剥がれ、フェライト・ドラムコアのクラック発生等を防止できる。また、フェライト・ドラムコアに焼き付け、メッキで形成した端子電極の場合に比べて、ヒートサイクルに対する耐久性は格段に良い。従って、自動車搭載用として高い信頼性を確保できる。
【００３５】
（２）  巻線１０Ａ，１０Ｂの端末と端子金具２０との接合に、はんだ付けを用いておらず、固相拡散接合（熱圧着、超音波溶着、又は両者の併用等）、溶接（レーザー溶接、アーク溶接等）で行うため、環境に配慮して融点の高い鉛フリーはんだを用いてコモンモードフィルタを配線基板に装着する場合であっても、はんだ付け時にコモンモードフィルタの巻線端末と端子電極間の接合部分が溶融することはない。
【００３６】
（３）  フェライト・ドラムコア１の上側（平坦凸部２１上）にフェライトの板状コア５を接着しており、特性改善とともにチップ部品装着機での吸着保持に適した構造をすることが可能である。
【００３７】
（４）  通常のエポキシ係樹脂接着剤では、ＰＣＴ等の耐湿試験によって加水分解等が生じ、樹脂自身が分解することで樹脂自身の強度低下を招く。接着剤として、ガラス転移点が１５０℃のエポキシ系樹脂接着剤を用いることで、そのような強度低下を回避し、フェライト・ドラムコア１上にフェライトの板状コア５を強固に接着でき、耐湿試験（ＰＣＴ）前後のインピーダンスの変化率が少なく、接着の信頼性が高い。また、ドラムコア鍔部３に平坦凸部２１を形成しておくことで、接着面を大きく確保でき、線材の引き回しにも不都合を生じさせないで、強力な接着が可能である。
【００３８】
（５）  これらにより、使用温度範囲が広く、高信頼性で車載用等に適したコモンモードフィルタを実現できる。
【００３９】
図４（Ａ），（Ｂ）で本発明の第２の実施の形態のコモンモードフィルタを説明する。この場合、コア受入工程、端子装着工程、巻線工程及び継線工程までは、図１（Ａ）〜（Ｄ）の第１の実施の形態と同様であり、コア接着工程でフェライト・ドラムコア１に接着するコア構造が第１の実施の形態と異なっている。すなわち、巻線１０Ａ，１０Ｂを巻回し、巻線端末を端子金具２０に接合した後のドラムコア１の上面及び両側面を囲むフェライトの断面コ字状コア１５が前記ドラムコア１の外側（鍔部３の二方（側方）の平面３ａ及び平坦凸部３ｂ）にガラス転移点が１５０℃以上の耐熱性を有するエポキシ系樹脂接着剤で固着されている。前記断面コ字状コア１５も上辺部の上面１６が平坦であり、上辺部の下面は端子電極としての端子金具２０及び巻線端末接合部を避けるために両側の厚みを薄くして段部１７形成している。
【００４０】
なお、その他の構成は前述した第１の実施の形態と同様であり、同一又は相当部分に同一符号を付して説明を省略する。
【００４１】
この第２の実施の形態に示したコモンモードフィルタでは、ドラムコア１の二方が平面３ａで、上面に平坦凸部３ｂを設け、上下面に端子金具２０の係合用凸部が入り込む係合用凹部を有する鍔部３と断面コ字状コア１５とが３面で接して（ドラムコア１の巻芯部外周の三面を覆って）閉磁路を構成するため、磁気特性のいっそうの向上及びコモンモードノイズの抑制性能のいっそうの向上を図ることが可能である。
【００４２】
図５及び図６で本発明の第３の実施の形態のコモンモードフィルタを説明する。この場合、使用する端子金具の具体的形状が第１の実施の形態と異なっている。すなわち、フェライト・ドラムコア１の二方が平面３ａで上面に平坦凸部３ｂを設け、段差面として形成された端子金具装着面４の上下面部分に端子金具２０の係合用凸部が入り込む係合用凹部を有する鍔部３に装着（嵌合）される端子金具２０は、図６（Ａ），（Ｂ），（Ｃ）のように、前記鍔部３の端子金具装着面４の上下面部分及び一方の側面部分を囲むコ字形状部分２５と、コ字形状部分２５の上辺部に係止部として二股に分かれて形成された係止片２６Ａ，２６Ｂとを金属板を折り曲げて一体に形成したものである。巻線１０Ａ，１０Ｂに近い側の細幅の係止片２６Ａは巻線１０Ａ，１０Ｂの端末のかしめによる仮固定専用の係止部であり、太幅の係止片２６Ｂはかしめにより仮固定後、溶接等で溶融状態にされる部分であり、それらはコ字形状部分２５の上辺部上方に折り返されるように形成されている。
【００４３】
従って、巻線工程でドラムコア１に巻かれた巻線１０Ａ，１０Ｂの電気的接続を行う部分の絶縁被覆を取り去った後（事前の絶縁被覆の除去は線材によっては省略可能）に巻線端末を端子金具２０の係止片２６Ａ，２６Ｂの下側に挿入し、係止片２６Ａ，２６Ｂをかしめることで、各巻線端末を仮固定できる。また、継線処理は係止片２６Ｂを溶接等で溶融させて行い、係止片２６Ａはかしめ状態で残しておく。
【００４４】
この結果、巻線端末を全て仮固定した状態で一度に継線工程を実行して巻線端末を端子金具２０間の電気的接続を行うことができる。また、継線工程が終了するまで、係止片２６Ａは巻線端末のかしめ状態を維持するため、継線工程での巻線端末の位置ずれを確実に防ぎ、さらに溶接等の熱が巻線１０Ａ，１０Ｂに伝わって線材の絶縁被覆の劣化するのを前記係止片２６Ａによる放熱効果で防止できる。
【００４５】
この第３の実施の形態の他の構成は前述した第１の実施の形態と同様であり、同一又は相当部分に同一符号を付して説明を省略する。
【００４６】
なお、各実施の形態では、フェライト・ドラムコアの寸法規格において、外形４．５ｍｍ×３．２ｍｍ、コア高さ方向の公差±１０μｍのものを使用することにより、端子金具装着後の実装面のコプラナリティ（平面度）は最大２０μｍを達成することができた。つまり、実装面のコプラナリティを２０μｍ以下に保つことで、配線基板へ搭載したときの不良発生を防止できる。
【００４７】
なお、各実施の形態において、前記ドラムコアの巻芯部の断面は方形に限らず円柱等でも良い。
【００４８】
また、各実施の形態では、端子装着工程の後で巻線工程を実行するように説明したが、逆に巻線工程の後に端子装着工程を実行してもよい。
【００４９】
以上本発明の実施の形態について説明してきたが、本発明はこれに限定されることなく請求項の記載の範囲内において各種の変形、変更が可能なことは当業者には自明であろう。
【００５０】
【発明の効果】
以上説明したように、本発明に係るコモンモードフィルタは、両側に鍔部を有するドラムコアに一対の巻線を施し、各巻線端末を各鍔部の両端部に設けた端子電極にそれぞれ接続する構成において、前記端子電極が金属板をコ字状に折り曲げた端子金具であって、前記鍔部の上下面に対向する内面に係合用凸部が形成されており、前記鍔部の上下面には前記係合用凸部に対応した係合用凹部が形成され、前記端子金具は前記係合用凸部が前記係合用凹部に入った状態で前記鍔部に装着されているので、配線基板に搭載したときにドラムコア材質と配線基板との間に熱膨張係数の差が存在しても前記端子金具の位置が僅かにずれることにより、熱膨張係数の差を吸収できる。前記端子金具はコ字形状は有するが折り返し部分（鍔部の裏側に引っ掛ける部分）が無いため、より大きな熱ストレスにも耐えうる。このため、折り返し部分のある端子電極の場合に発生する不良、例えば、配線基板を端子電極間の剥がれ、ドラムコアのクラック発生等を防止できる。ドラムコアに焼き付け、メッキで形成した端子電極の場合に比べて、ヒートサイクルに対する耐久性が格段に良い。従って、自動車搭載用として高い信頼性を確保できる。
【００５１】
また、巻線端末と端子金具との継線を、熱圧着、超音波溶着等の固相拡散接合又はレーザー溶接、アーク溶接等の溶接で行う場合、コモンモードフィルタを高温の無鉛はんだで配線基板に装着する場合でも巻線端末と端子金具の継線が溶融する危険は無く、さらに信頼性の向上を図り得る。
【００５２】
さらに、前記ドラムコアに板状コア又は断面コ字状コアを接着する構成の場合に、ガラス転移点が１５０℃以上の耐熱性を有するエポキシ系樹脂を接着剤として用いることで、コモンモードフィルタのＰＣＴ後のインピーダンスの変化を減少させ、接着の信頼性の向上を図ることができる。
【図面の簡単な説明】
【図１】本発明に係るコモンモードフィルタ第１の実施の形態であって、（Ａ）はコア受入工程、（Ｂ）は端子装着工程、（Ｃ）は巻線工程、（Ｄ）は継線工程、（Ｅ）はコア接着工程（完成工程）をそれぞれ示す斜視図である。
【図２】第１の実施の形態において、ドラムコアに設けた端子金具及び一対の巻線の構成を示す部分断面図である。
【図３】ドラムコアに板状コアを接着したときの接着剤とＰＣＴ前後のインピーダンス変化の関係であって、（Ａ）はガラス転移点が１３０℃のエポキシ系樹脂接着剤を用いた場合のＰＣＴ前後のインピーダンスの変化率を示し、（Ｂ）はガラス転移点が１５０℃のエポキシ系樹脂接着剤を用いた場合のＰＣＴ前後のインピーダンスの変化率を示すグラフである。
【図４】本発明の第２の実施の形態であって、（Ａ）は分解斜視図、（Ｂ）は完成状態の斜視図である。
【図５】本発明の第３の実施の形態の分解斜視図である。
【図６】第３の実施の形態で用いる端子金具であって、（Ａ）は正面図、（Ｂ）は側面図、（Ｃ）は平面図である。
【符号の説明】
１  フェライト・ドラムコア
２  巻芯部
３  鍔部
３ａ  平面
３ｂ  平坦凸部
４  端子金具装着面
４ａ  係合用凹部
５  板状コア
６，１６  上面
７  凹部
１０Ａ，１０Ｂ  巻線
１５  断面コ字状コア
２０  端子金具
２１  係合用凸部
２５  コ字形状部分
２６，２６ａ，２６Ｂ  係止片
【図１】
2005056934.tif 000003
【図２】
2005056934.tif 000004
【図３】
2005056934.tif 000005
【図４】
2005056934.tif 000006
【図５】
2005056934.tif 000007
【図６】
2005056934.tif 000008